(57)【要約】【課題】駆動機構の設計自由度を高めることができるレンズ鏡筒を提供する。【解決手段】レンズ鏡筒は、被写体の光学像を形成する光学系と、光学系に含まれる少なくとも１枚のレンズを支持する筒と、筒の外周に配置され、筒の外周面に沿って形成される壁を有する固定部材と、筒の内周側に配置された電気部品と、電気部品と電気的に接続されたフレキシブルプリントケーブルと、を備える。筒は、所定方向に沿って移動されることにより固定部材に組み付けられている。壁には、所定方向に対して４５度以下の傾きを有し、所定方向の一端において開放されたスリットが形成される。フレキシブルプリントケーブルは、壁の内面に案内されてスリットから固定部材の外側に引き出されている。【選択図】図１４
2012168515.tif 000002
【特許請求の範囲】
【請求項１】
被写体の光学像を形成する光学系と、
前記光学系に含まれる少なくとも１枚のレンズを支持する筒と、
前記筒の外周側に配置され、前記筒の外周面に沿って形成される壁を有した固定部材と、
前記筒の内周側に配置された電気部品と、
前記電気部品と電気的に接続されたフレキシブルプリントケーブルと、
を備え、
前記筒は、所定方向に沿って移動されることにより前記固定部材に組み付けられており、
前記壁には、前記所定方向に対して４５度以下の傾きを有し、前記所定方向の一端において開放されたスリットが形成され、
前記フレキシブルプリントケーブルは、前記壁の内面に案内されて前記スリットから前記固定部材の外側に引き出されている、
レンズ鏡筒。
【請求項２】
前記筒の外側に配置され、前記固定部材とは相対的に移動しない突起を備え、
前記フレキシブルプリントケーブルは、前記突起と前記壁の前記内面との間に挟まれている、
請求項１に記載のレンズ鏡筒。
【請求項３】
前記突起には、前記筒と前記固定部材を締結するための締結具が取り付けられる、
請求項２に記載のレンズ鏡筒。
【請求項４】
前記固定部材と前記筒との間に配置され、前記筒に対して相対的に回転可能な回転枠を備え、
前記突起は、前記回転枠の外側に配置されている、
請求項２に記載のレンズ鏡筒。
【請求項５】
前記壁の内面から外面に向かって前記スリットが開口する方向は、前記光学系の光軸を中心とする径方向に対して傾斜している、
請求項１に記載のレンズ鏡筒。
【請求項６】
前記固定部材は、外周面から突出し、筐体に取り付けられる取付部を有し、
前記スリットの外面は、前記取付部上に設けられている、
請求項１に記載のレンズ鏡筒。
【発明の詳細な説明】
【技術分野】
【０００１】
ここに開示された技術は、光学系を保持するレンズ鏡筒に関する。特に、電気部品に接続されるフレキシブルプリントケーブルの配置に関する。
【背景技術】
【０００２】
従来、デジタルスチルカメラやカムコーダ等のカメラにレンズ鏡筒が用いられている。特許文献１に開示されたレンズ鏡筒は、内部にシャッターユニットを保持している。そして、シャッターユニットには、フレキシブルプリントケーブルが接続されている。フレキシブルプリントケーブルは、電気基板に接続されている。電気基板は、マスターフランジに取付けられている。フレキシブルプリントケーブルと電気基板との接続部は、マスターフランジの背面、すなわち、撮像素子が取付けられる面に位置している。
【先行技術文献】
【特許文献】
【０００３】
【特許文献１】特開２００４−１２６０２９号公報
【発明の概要】
【発明が解決しようとする課題】
【０００４】
レンズ鏡筒の内部から引き出したフレキシブルプリントケーブルを、レンズ鏡筒の外周側に引き出すと、レンズ鏡筒の設計自由度が高まる。たとえば、レンズ鏡筒の外周側において、フレキシブルプリントケーブルと他の部材とを接続すれば、レンズ鏡筒の光軸方向の大きさを小さくすることができる。しかし、そのような提案はいまだなされていない。
そこで、ここに開示された技術は、レンズ鏡筒の設計自由度を向上することを目的とする。
【課題を解決するための手段】
【０００５】
ここに開示されるレンズ鏡筒は、被写体の光学像を形成する光学系と、前記光学系に含まれる少なくとも１枚のレンズを支持する筒と、前記筒の外周側に配置され、前記筒の外周面に沿って形成される壁を有した固定部材と、前記筒の内周側に配置された電気部品と、前記電気部品と電気的に接続されたフレキシブルプリントケーブルと、を備える。前記筒は、所定方向に沿って移動されることにより前記固定部材に組み付けられている。前記壁には、前記所定方向に対して４５度以下の傾きを有し、前記所定方向の一端において開放されたスリットが形成されている。前記フレキシブルプリントケーブルは、前記壁の内面に案内されて前記スリットから前記固定部材の外側に引き出されている。
【発明の効果】
【０００６】
ここに開示された技術によれば、レンズ鏡筒の設計自由度を向上することが可能である。
【図面の簡単な説明】
【０００７】
【図１】レンズ鏡筒１００を備えたデジタルカメラ１の斜視図
【図２】レンズ鏡筒１００の沈胴時の斜視図
【図３】レンズ鏡筒１００の撮影時の斜視図
【図４】レンズ鏡筒１００の分解斜視図
【図５】レンズ鏡筒１００の沈胴時の断面図
【図６】レンズ鏡筒１００の広角端での断面図
【図７】レンズ鏡筒１００の望遠端での断面図
【図８】カム枠２０３の斜視図
【図９】１群枠２０１の斜視図
【図１０】沈胴状態のレンズ鏡筒１００から固定部材２１２を外した図
【図１１】広角端の状態のレンズ鏡筒１００から固定部材２１２を外した図
【図１２】固定部材２１２の斜視図
【図１３】フレキシブルプリントケーブル３０２の接続部の拡大斜視図
【図１４】フレキシブルプリントケーブル３０２の接続部の拡大前面図
【発明を実施するための形態】
【０００８】
以下、図面を参照して、実施形態について説明する。なお、説明の便宜上、デジタルカメラ１の被写体側を前方又は正面側、撮影者側を後方又は背面側、デジタルカメラ１の横撮り姿勢における鉛直上側を上側、デジタルカメラ１の横撮り姿勢における鉛直下側を下側、被写体側から見て右側を右側、被写体側から見て左側を左側と定義する。横撮り姿勢とは、ＣＣＤ１１０の長辺方向が水平方向と平行になり、ＣＣＤ１１０の短辺方向が鉛直方向と平行になる姿勢である。
【０００９】
＜デジタルカメラの構成＞
図１に示すように、デジタルカメラ１は、レンズ鏡筒１００を備える。デジタルカメラ１は、電源スイッチ１０により電源が投入されると、レンズ鏡筒１００が繰り出され、撮影が可能になる。
なお図１にはデジタルカメラ１が示されているが、これは撮像装置の一例である。デジタルカメラではなく、フィルムカメラであってもよいし、また、レンズ鏡筒１００を取り外して交換することが可能なカメラであってもよい。さらに、スティルカメラではなく、動画を撮影可能なカムコーダであってもよい。
【００１０】
＜レンズ鏡筒の全体構成＞
レンズ鏡筒１００は、デジタルカメラ１の電源がＯＦＦのとき、図２に示すように、沈胴状態である。沈胴状態のとき、レンズ鏡筒１００の複数の枠が繰り込まれ、光軸ＡＸ方向（図４参照）のサイズが小さくなっている。レンズ鏡筒１００は、デジタルカメラ１の電源がＯＮのとき、図３に示すように、撮影可能な状態である。撮影可能状態のとき、レンズ鏡筒１００の複数の枠が繰り出され、光軸ＡＸ方向のサイズが大きくなっている。なお、図３は光学系Ｏが広角端のときの状態を示している。
【００１１】
図４から図７に示すように、レンズ鏡筒１００は、光学系Ｏ（図６参照）と、レンズ駆動機構１１１とを備える。レンズ鏡筒１００には、さらに、ＣＣＤ１１０が固定されている。
光学系Ｏは、被写体の光学像をＣＣＤ１１０の受光面上に形成する。光学系Ｏは、第１レンズ群Ｇ１と、第２レンズ群Ｇ２と、第３レンズ群Ｇ３と、第４レンズ群Ｇ４と、第５レンズ群Ｇ５とを有する。第１レンズ群Ｇ１は、第１レンズＬ１と第２レンズＬ２と第３レンズＬ３とからなる。第２レンズ群Ｇ２は、第４レンズＬ４と、第５レンズＬ５と、第６レンズＬ６とからなる。第３レンズ群Ｇ３は、第７レンズＬ７と、第８レンズＬ８と、第９レンズＬ９と第１０レンズＬ１０とからなる。第４レンズ群Ｇ４は、第１１レンズＬ１１からなる。第５レンズ群Ｇ５は、第１２レンズＬ１２からなる。レンズ鏡筒１００は、第１レンズ群Ｇ１と、第２レンズ群Ｇ２と、第３レンズ群Ｇ３とをそれぞれ光軸ＡＸ方向に移動し、第１レンズ群Ｇ１と第２レンズ群Ｇ２との間隔、および、第２レンズ群Ｇ２と第３レンズ群Ｇ３との間隔を変化させて、光学系Ｏの焦点距離を変更する。焦点距離の変更は、ズーミングともいう。なお、ズーミングの際、第５レンズ群Ｇ５は光軸ＡＸ方向に移動しない。また、レンズ鏡筒１００は、第４レンズ群Ｇ４を光軸ＡＸ方向に移動し、光学系Ｏの焦点状態を変化させる。焦点状態の変化は、フォーカシングともいう。なお、光学系Ｏの各レンズの構成、たとえば、枚数や形状は、他の構成であってもよい。
【００１２】
ＣＣＤ１１０は、被写体の光学像を受光し、電気的な画像信号に変換し、出力する。ＣＣＤ１１０は、撮像素子の一例である。撮像素子は、ＣＭＯＳイメージセンサーであってもよい。
第１レンズ群Ｇ１と第２レンズ群Ｇ２と第３レンズ群Ｇ３とは、レンズ駆動機構１１１によって駆動される。以下、レンズ駆動機構の詳細について、説明する。
【００１３】
＜レンズ駆動機構１１１＞
レンズ駆動機構１１１は、１群枠２０１と、１群直進枠２０２と、カム枠２０３と、２−３群直進枠２０４と、２群枠２０５と、ブレ補正枠２０６と、シャッターユニット２０７と、回転枠２０８と、固定枠２０９と、４群枠２１０と、５群枠２１１と、固定部材２１２とを備える。
【００１４】
１群枠２０１は、第１レンズ群Ｇ１を保持する。２群枠２０５は、第２レンズ群Ｇ２を保持する。ブレ補正枠２０６は、第３レンズ群Ｇ３を保持する。４群枠２１０は、第４レンズ群Ｇ４を保持する。５群枠２１１は、第５レンズ群Ｇ５を保持する。１群枠２０１と２群枠２０５とブレ補正枠２０６と４群枠２１０と５群枠２１１とは、固定枠２０９に対して、光軸方向に駆動される。
【００１５】
（固定枠２０９）
固定枠２０９（筒の一例）には、図４に示すように、３本の第１カム溝１１２と、４本の第１直進案内溝１１３とが形成されている。第１カム溝１１２は、固定枠２０９の内側から外側まで貫通している。固定枠２０９は、第１カム溝１１２を介して、カム枠２０３を支持する。また固定枠２０９は、第１直進案内溝１１３を介して、１群直進枠２０２を支持する。
【００１６】
固定枠２０９の後方には、固定部材２１２が固定されている。具体的には、固定枠２０９にはビス止め用のボス３０１（突起の一例）が形成されている。固定部材２１２は、固定枠２０９のボス３０１（突起の一例）とビス（締結具の一例）によって、固定枠２０９に締結されている。
ボス３０１は、固定枠２０９の筒状部分の外側に配置されている。ボス３０１は、固定枠２０９の筒状部分に固定されているので、固定部材２０９に対して相対的に移動しない。ボス３０１の後面には、ビスが取り付けられる穴３０７（図４において不図示、図１０参照）が形成されている。
【００１７】
固定枠２０９を固定部材２１２に組み付ける工程では、まず、光軸ＡＸ方向（所定方向の一例）に沿って固定部材２１２を移動させることによって、固定部材２１２を固定枠２０９の被写体側から組み込んだ後に、ビスによって固定部材２１２をボス３０１に締結する。
（固定部材２１２）
固定部材２１２には、ＣＣＤ取付板１４６を介して、ＣＣＤ１１０が後方から固定されている。ＣＣＤ１１０は、開口部１４７を通して前方に、受光面を向けている。
【００１８】
固定部材２１２の外周部には、さらに、デジタルカメラ１の本体へ取り付けられる取付部１１５が形成されている。取付部１１５は、固定部材２１２の外面から突出するように形成されている。固定部材２１２は、取付部１１５においてデジタルカメラ１の筐体にネジ止めされる。
固定部材２１２には、ズームモーターユニット１１６が固定されている。ズームモーターユニット１１６は、光軸と平行な回転軸を有する第１駆動ギア１１４を有する。ズームモーターユニット１１６は、第１駆動ギア１１４を回転駆動する。
【００１９】
（回転枠２０８）
回転枠２０８（回転枠の一例）は、固定枠２０９の外周側に設けられている。回転枠２０８は、光軸ＡＸを軸心として、固定枠２０９に対して、相対的に回転可能である。回転枠２０８の外周部には、ギア部１２０が形成されている。ギア部１２０は、第１駆動ギア１１４とかみ合い、第１駆動ギア１１４によって回転される。つまり、回転枠２０８は、ギア部１２０と第１駆動ギア１１４とを介して、ズームモーターユニット１１６によって回転駆動される。
【００２０】
回転枠２０８の内周部には、３本の第２直進溝２２２が形成されている。第２直進溝２２２は、光軸ＡＸ方向に伸びた溝である。
（カム枠２０３）
図８に示すように、カム枠２０３は、筒状の筒部１１７と、筒部１１７の後方の端部から外周側に形成された第１フランジ部１１８とを有する。
【００２１】
第１フランジ部１１８の外周部には、３つの第１カムピン１１９と、第１バヨネット係合部１２１とが形成されている。図４から図７に示すように、第１カムピン１１９は、それぞれ、第１カム溝１１２のうちの１つと係合している。カム枠２０３は、第１カムピン１１９を介して、固定枠２０９に支持されている。第１カムピン１１９は、第１カム溝１１２を貫通し、第２直進溝２２２に係合している。カム枠２０３は、回転枠２０８とともに回転する。つまり、カム枠２０３は、回転枠２０８とギア部１２０と第１駆動ギア１１４とを介して、ズームモーターユニット１１６によって回転駆動される。
【００２２】
筒部１１７の外面には、外側に突出した３つの第１補助ピン２２１と、３本の第２カム溝１２２と、３本の第１補助溝１２３とが形成されている。筒部１１７の内面には、３本の第３カム溝１２４と、３本の第４カム溝１２５と、第２バヨネット係合部１２６が形成されている。
（１群直進枠２０２）
図４から図７に示すように、１群直進枠２０２は、筒状の形状である。１群直進枠２０２の外面には、外側に突出した４個の第１直進案内凸部１２７が形成されている。第１直進案内凸部１２７は、それぞれ、第１直進案内溝１１３の１つと係合している。第１直進案内溝１１３は光軸ＡＸ方向に伸びた溝であり、第１直進案内凸部１２７を案内する。１群直進枠２０２は、第１直進案内凸部１２７と第１直進案内溝１１３とによって、固定枠２０９に支持され、固定枠２０９に対して光軸ＡＸ方向に移動可能であり、固定枠２０９に対して光軸ＡＸを中心とした回転方向に回転するのが規制される。
【００２３】
１群直進枠２０２の内面には、３本の第３直進案内溝１２８と、第３バヨネット係合部１２９とが形成されている。第３直進案内溝１２８は、光軸ＡＸ方向に伸びた溝である。第３バヨネット係合部１２９は、円周方向に伸びた溝である。第３バヨネット係合部１２９は第１バヨネット係合部１２１と係合している。第３バヨネット係合部１２９と第１バヨネット係合部１２１との係合によって、カム枠２０３に対して１群直進枠２０２が光軸ＡＸ方向に移動するのが規制され、１群直進枠２０２に対してカム枠２０３が回転可能である。
【００２４】
（２−３群直進枠２０４）
図４から図７に示すように、２−３群直進枠２０４は、筒状の形状である。２-３群直進枠２０４には、３本の第３直進溝１３０と、３本の第４直進溝１３１とが形成されている。第３直進溝１３０および第４直進溝１３１は、光軸ＡＸ方向に伸びた溝である。第３直進溝１３０および第４直進溝１３１は、２-３群直進枠２０４の内側から外側まで貫通している。
【００２５】
２−３群直進枠２０４の外周には、外側に突出した３個の第２直進案内凸部１３２と、円周方向に伸びた形状の第４バヨネット係合部１３３とが形成されている。第２直進案内凸部１３２は、それぞれ、第１直進案内溝１１３の１つと係合している。第２直進案内凸部１３２と第１直進案内溝１１３との係合により、２−３群直進枠２０４は、固定枠２０９に支持される。２−３群直進枠２０４は、固定枠２０９に対して光軸ＡＸ方向に移動可能であり、固定枠２０９に対して光軸ＡＸを中心とした回転方向に回転するのが規制される。また、第４バヨネット係合部１３３は第２バヨネット係合部１２６と係合している。第４バヨネット係合部１３３と第２バヨネット係合部１２６との係合により、カム枠２０３に対して２−３群直進枠２０４が光軸ＡＸ方向に移動するのが規制され、２−３群直進枠２０４に対してカム枠２０３が回転可能である。
【００２６】
（１群枠２０１）
図４から図７に示すように、１群枠２０１は、第１レンズ群Ｇ１を支持する。また、１群枠２０１は、前方に、バリアユニット１３４を支持する。バリアユニット１３４は、開閉可能なバリア部１３５を有する。沈胴時には、バリア部１３５が閉じられ、バリア部１３５は第１レンズ群Ｇ１を保護し、また、光学系Ｏへの光の進入を遮る。撮影時には、バリア部１３５が開かれ、光学系Ｏに光が導かれる。
【００２７】
図９に示すように、１群枠２０１の外周部には、外側に突出した３個の第３直進案内凸部１３６が形成されている。第３直進案内凸部１３６は、ぞれぞれ、第３直進案内溝１２８の１つに係合している。第３直進案内凸部１３６と第３直進案内溝１２８の係合により、１群枠２０１は、１群直進枠２０２に支持され、１群直進枠２０２に対して光軸ＡＸ方向に移動可能であり、１群直進枠２０２に対して光軸ＡＸを中心とした回転方向に回転するのが規制される。
【００２８】
１群枠２０１の内周面には、内側に突出した３個の第２カムピン２２３と、内側に突出した３個の第２補助ピン２２４とが形成されている。第２カム溝１２２には、それぞれ、第２カムピン２２３のうちの１つが係合する。言い換えると、第２カム溝１２２は、それぞれ、第２カムピン２２３のうちの１つと接触している。第２カムピン２２３と第２カム溝１２２との係合によって、１群枠２０１はカム枠２０３に支持されている。また、第２カム溝１２２に沿って第２カムピン２２３が移動することにより、１群枠２０１はカム枠２０３に対して光軸ＡＸ方向に移動する。
【００２９】
第２補助ピン２２４は、それぞれ、第１補助溝１２３のうちの１つに挿入されている。第２カム溝１２２に沿って第２カムピン２２３が移動するとき、第２補助ピン２２４も第１補助溝１２３に沿って移動する。言い換えると、第１補助溝１２３は、１群枠２０１が光軸ＡＸ方向に移動する際の第２補助ピン２２４の移動軌跡に沿って、形成されている。第２補助ピン２２４は、第１補助溝１２３とわずかに距離を隔てて形成されている。１群枠２０１に光軸ＡＸ方向の外力が加わった場合には、第２補助ピン２２４は第１補助溝１２３と接触する。
【００３０】
１群枠２０１の内周部には、３つの壁２３０が形成されている。第２カム溝１２２に沿って第２カムピン２２３が移動するとき、第１補助ピン２２１も壁２３０に沿って移動する。言い換えると、壁２３０は、１群枠２０１が光軸ＡＸ方向に移動する際の第１補助ピン２２１の移動軌跡に沿って、形成されている。具体的には、壁２３０は、第１補助ピン２２１の移動軌跡の一部の区間において、光軸ＡＸ方向における第１補助ピン２２１の被写体側で第１補助ピン２２１の移動軌跡に沿って形成されている。一部の区間とは、より具体的には、光学系Ｏの焦点距離が広角端から望遠端に移動する際に第１補助ピン２２１が移動する区間である。
【００３１】
壁２３０は、第１補助ピン２２１とわずかに距離を隔てて形成されている。１群枠２０１に光軸ＡＸ方向の外力が加わった場合には、第１補助ピン２２１は壁２３０と接触する。実施形態では、１群枠２０１を繰り込ませる方向の力が１群枠２０１に加わったときに、第１補助ピン２２１と壁２３０とが接触するように壁２３０が形成されている。
なお、壁２３０は、移動軌跡の全区間において形成されていてもよい。また、壁２３０は、第１補助ピン２２１の移動軌跡の一部の区間において、光軸ＡＸ方向における第１補助ピン２２１の像面側で第１補助ピン２２１の移動軌跡に沿って形成されていてもよい。
【００３２】
（２群枠２０５）
図４から図７に示すように、２群枠２０５は、第２レンズ群Ｇ２を支持する。２群枠２０５の外周面には、外側に突出した３個の第４直進案内凸部１３７が形成されている。２群枠２０５には、さらに、３個の第３カムピン１３８が形成されている。第３カムピン１３８は、それぞれ、第４直進案内凸部１３７のうちの１つから外側に突出している。
【００３３】
第４直進案内凸部１３７は、それぞれ、第３直進溝１３０のうちの１つに係合している。第４直進案内凸部１３７と第３直進溝１３０の係合により、２群枠２０５は、２-３群直進枠２０４に支持されている。２群枠２０５は、２-３群直進枠２０４に対して光軸ＡＸ方向に移動可能であり、２-３群直進枠２０４に対して光軸ＡＸを中心とした回転方向に回転するのが規制される。
【００３４】
第３カムピン１３８は、第３カム溝１２４に係合している。第３カム溝１２４には、それぞれ、第３カムピン１３８のうちの１つが係合する。言い換えると、第３カムピン１３８は、それぞれ、第３カム溝１２４のうちの１つと接触している。第３カムピン１３８と第３カム溝１２４との係合によって、２群枠２０５はカム枠２０３に支持されている。また、第３カム溝１２４に沿って第３カムピン１３８が移動することにより、２群枠２０５はカム枠２０３に対して光軸ＡＸ方向に移動する。
【００３５】
（ブレ補正枠２０６）
図４から図７に示すように、ブレ補正枠２０６は、第３レンズ群Ｇ３を支持する。ブレ補正枠２０６は、シャッターユニット２０７に支持されている。ブレ補正枠２０６は、シャッターユニット２０７に対して光軸ＡＸと直交する面内で移動可能であり、シャッターユニット２０７に対して光軸ＡＸ方向への移動が規制されている。第３レンズ群Ｇ３は、光軸ＡＸと直交する面内で移動することにより、受光面上での光学像の位置を変更する。ブレ補正枠２０６はアクチュエータ２２５（図１１参照）によって駆動される。たとえば、ブレ補正枠２０６は、デジタルカメラ１のブレに起因して発生する光学像のブレを抑制するように駆動される。
【００３６】
（シャッターユニット２０７）
シャッターユニット２０７は、図示しないシャッターを内包している。シャッターが開放されているとき、シャッターユニット２０７は光を透過し、シャッターが閉じられているとき、シャッターユニット２０７は光を遮蔽する。シャッターユニット２０７は、光学系Ｏの光の透過および遮蔽を制御可能である。シャッターユニット２０７は、電力の供給を受けてシャッターを開閉駆動する。シャッターユニット２０７には、アクチュエータが内蔵されている。
【００３７】
シャッターユニット２０７の外周面には、外側に突出した３個の第５直進案内凸部１３９が形成されている。シャッターユニット２０７には、さらに、３個の第４カムピン１４０が形成されている。第４カムピン１４０は、それぞれ、第５直進案内凸部１３９のうちの１つから外側に突出している。
第５直進案内凸部１３９は、それぞれ、第４直進溝１３１のうちの１つに係合している。第５直進案内凸部１３９と第４直進溝１３１の係合により、シャッターユニット２０７は、２-３群直進枠２０４に支持され、２-３群直進枠２０４に対して光軸ＡＸ方向に移動可能であり、２-３群直進枠２０４に対して光軸ＡＸを中心とした回転方向に回転するのが規制される。
【００３８】
第４カムピン１４０は、第４カム溝１２５に係合している。第４カム溝１２５には、それぞれ、第４カムピン１４０のうちの１つが係合する。言い換えると、第４カムピン１４０は、それぞれ、第４カム溝１２５のうちの１つと接触している。第４カムピン１４０と第４カム溝１２５との係合によって、シャッターユニット２０７はカム枠２０３に支持されている。また、第４カム溝１２５に沿って第４カムピン１４０が移動することにより、シャッターユニット２０７はカム枠２０３に対して光軸ＡＸ方向に移動する。シャッターユニット２０７が光軸ＡＸ方向に移動するとき、ブレ補正枠２０６もシャッターユニット２０７とともに光軸ＡＸ方向に移動する。
【００３９】
（４群枠２１０）
図４から図７に示すように、４群枠２１０は、第４レンズ群Ｇ４を支持する。４群枠２１０は、直進ガイド部１４１と、回転防止部１４２と、ナット係合部１４３とを有する。直進ガイド部１４１には、第１ガイドポール１４４が挿入されている。第１ガイドポール１４４は、光軸ＡＸと平行な方向に伸びている。直進ガイド部１４１と第１ガイドポール１４４との係合によって、直進ガイド部１４１は光軸ＡＸ方向に移動可能であり、第１ガイドポール１４４と直交する移動が規制されている。回転防止部１４２には、第２ガイドポール１４５が係合している。第２ガイドポール１４５は、光軸ＡＸと平行な方向に伸びている。回転防止部１４２と第２ガイドポール１４５との係合によって、４群枠２１０は第１ガイドポール１４４を中心とする回転を規制される。ナット係合部１４３に、フォーカスモーターユニット１４８のナットが係合する。フォーカスモーターユニット１４８は、モーターと、モーターによって回転されるリードスクリューと、ナットとを有する。リードスクリューは、光軸ＡＸ方向に伸びている。ナットは、リードスクリューと係合し、リードスクリューの回転によって光軸ＡＸ方向に駆動される。つまり。４群枠２１０は、フォーカスモーターユニット１４８によって、光軸ＡＸ方向に駆動される。
【００４０】
固定部材２１２には、第１ガイドポール１４４と第２ガイドポール１４５とが固定されている。つまり、固定部材２１２は、第１ガイドポール１４４および第２ガイドポール１４５を介して、４群枠２１０を支持している。
（５群枠２１１）
図４から図７に示すように、５群枠２１１は、第５レンズ群Ｇ５を支持する。５群枠２１１は、直進ガイド部１５０と、回転防止部１５１と、を有する。直進ガイド部１５０には、第３ガイドポール１５３が挿入されている。第３ガイドポール１５３は、光軸ＡＸと平行な方向に伸びている。直進ガイド部１５０と第３ガイドポール１５３との係合によって、直進ガイド部１５０は光軸ＡＸ方向に移動可能であり、第３ガイドポール１５３と直交する移動が規制されている。回転防止部１５１には、第２ガイドポール１４５が係合している。第２ガイドポール１４５は、光軸ＡＸと平行な方向に伸びている。回転防止部１５１と第２ガイドポール１４５との係合によって、５群枠２１１が第３ガイドポール１５３を中心として回転するのが規制される。
【００４１】
５群枠２１１は、バネ（図示せず）によって、被写体側に力を受けている。そして、撮影可能状態のとき、５群枠２１１はバネの力を受けて、５群枠２１１の当接部２５１が固定枠２０９の当接部２５２と当接した状態を維持している。また、沈胴状態のとき、５群枠２１１はバネの力を受けて２-３群直進枠２０４と当接した状態を維持している。沈胴状態のときの５群枠２１１の位置は、撮影可能状態のときの５群枠２１１の位置よりも、像面側である。
【００４２】
＜レンズ鏡筒の動作＞
次に、レンズ鏡筒１００の動作を説明する。あわせて、さらに詳細な構成についても説明する。
回転枠２０８は、ズームモーターユニット１１６によって、固定枠２０９に対して回転する。回転枠２０８と第１カムピン１１９との係合により、カム枠２０３は固定枠２０９に対して回転する。カム枠２０３の第１カムピン１１９が固定枠２０９の第１カム溝１１２に沿って移動し、カム枠２０３は固定枠２０９に対して光軸ＡＸ方向に移動する。つまり、カム枠２０３は、回転可能、かつ、光軸ＡＸ方向に移動可能である。なお、回転枠２０８は、回転可能であるが、光軸ＡＸ方向には移動しない。
【００４３】
１群直進枠２０２の第３バヨネット係合部１２９とカム枠２０３の第１バヨネット係合部１２１との係合によって、１群直進枠２０２はカム枠２０３と一体となって光軸ＡＸ方向に移動する。このとき、１群直進枠２０２の第１直進案内凸部１２７が固定枠２０９の第１直進案内溝１１３に沿って移動するため、１群直進枠２０２は固定枠２０９に対して回転しない。つまり、１群直進枠２０２は、回転不能、かつ、光軸ＡＸ方向に移動可能である。
【００４４】
１群枠２０１の第３直進案内凸部１３６と１群直進枠２０２の第３直進案内溝１２８との係合によって、１群枠２０１は１群直進枠２０２に対して回転しない。つまり、１群枠２０１は回転不能である。そして、カム枠２０３が回転すると、１群枠２０１の第２カムピン２２３がカム枠２０３の第２カム溝１２２に沿って移動し、１群枠２０１がカム枠２０３に対して光軸ＡＸ方向に移動する。言い換えると、１群枠２０１は１群直進枠２０２に対して光軸ＡＸ方向に移動する。つまり、１群枠２０１は光軸ＡＸ方向に移動可能である。
【００４５】
２−３群直進枠２０４の第４バヨネット係合部１３３とカム枠２０３の第２バヨネット係合部１２６との係合によって、２−３群直進枠２０４はカム枠２０３と一体となって光軸ＡＸ方向に移動する。このとき、２−３群直進枠２０４の第２直進案内凸部１３２と固定枠２０９の第１直進案内溝１１３との係合によって、２−３群直進枠２０４は回転しない。
【００４６】
２群枠２０５の第４直進案内凸部１３７と２-３群直進枠２０４の第３直進溝１３０との係合によって、２群枠２０５は回転しない。カム枠２０３が回転すると、２群枠２０５の第３カムピン１３８がカム枠２０３の第３カム溝１２４に沿って移動し、２群枠２０５がカム枠２０３に対して光軸ＡＸ方向に移動する。つまり、２群枠２０５は、回転不能、かつ、光軸ＡＸ方向に移動可能である
シャッターユニット２０７の第５直進案内凸部１３９と２−３群直進枠２０４の第４直進溝１３１との係合によって、シャッターユニット２０７は回転しない。カム枠２０３が回転すると、シャッターユニット２０７の第４カムピン１４０がカム枠２０３の第４カム溝１２５に沿って移動し、シャッターユニット２０７がカム枠２０３に対して光軸ＡＸ方向に移動する。ブレ補正枠２０６は、シャッターユニット２０７と一体となって光軸ＡＸ方向に移動する。
【００４７】
４群枠２１０は、フォーカスモーターユニット１４８によって、固定部材２１２に対して光軸ＡＸ方向に移動する。
５群枠２１１は２-３群直進枠２０４が撮影可能状態の位置に移動すると、バネの力により５群枠２１１の当接部２５１が固定枠２０９の当接部２５２と当接するまで、被写体側に移動する。また、５群枠２１１は２-３群直進枠２０４が沈胴状態の位置に移動すると、２-３群直進枠２０４に押されて像面側に移動する。
【００４８】
従って、沈胴状態から、回転枠２０８のギア部１２０に第１駆動ギア１１４を介してズームモーターユニット１１６の回転力が伝わると、回転枠２０８は光軸ＡＸ回りに回転し、カム枠２０３は光軸ＡＸ回りに回転し、又は、回転しながら前進する。カム枠２０３と１群直進枠２０２および２−３群直進枠２０４は、固定枠２０９に対して、光軸ＡＸ方向に一体的に移動する。その際、１群直進枠２０２および２−３群直進枠２０４は回転しない。そして、カム枠２０３の回転力によって、１群枠２０１、２群枠２０５およびシャッターユニット２０７が光軸ＡＸ方向に移動する。その際、１群枠２０１、２群枠２０５およびシャッターユニット２０７は回転しない。さらに、５群枠２１１は当接部と当接するまで、バネの力により被写体側に移動する。
【００４９】
＜電気接続のための構成＞
図１０および図１１に示すように、電気部品の一例であるシャッターユニット２０７およびアクチュエータ２２５には、フレキシブルプリントケーブル３０２が電気的に接続されている。フレキシブルプリントケーブル３０２は、シャッターユニット２０７およびアクチュエータ２２５に電力を供給する。なお、シャッターユニット２０７、および、アクチュエータ２２５は、電気部品の一例である。
【００５０】
シャッターユニット２０７およびアクチュエータ２２５は、固定枠２０９の内周側に配置され、固定枠２０９に対して光軸ＡＸ方向に移動する。フレキシブルプリントケーブル３０２は、シャッターユニット２０７およびアクチュエータ２２５の移動に伴って変形する。
フレキシブルプリントケーブル３０２は、支持部３０５によって支持されている。支持部３０５は、固定枠２０９の後ろの端に形成されている。支持部３０５の後端は、光軸ＡＸ方向に開放している。支持部３０５の開放している方から、フレキシブルプリントケーブル３０２が支持部３０５に挿入され、支持されている。
【００５１】
レンズ鏡筒１００を組み立てるとき、支持部３０５に支持された部分から先のフレキシブルプリントケーブル３０２は、図１０に示す状態から矢印３０６に示す方向に折り曲げられる。フレキシブルプリントケーブル３０２は、固定枠２０９の後ろ側の端の部分で折り曲げられ、固定枠２０９および回転枠２０８の外周側において、円周方向に伸びている。そして、固定枠２０９の後ろから固定部材２１２が取り付けられる。そして、固定部材２１２の後ろから、４つのボス３０１にそれぞれ形成された穴３０７にビスが挿入され、固定枠２０９と固定部材２１２とが固定される。なお、ビスでなく、ピン等の締結具を用いてもよい。
【００５２】
図１２から図１４に示すように、固定部材２１２には、固定枠２０９が固定される側に突出した壁３０８が形成されている。壁３０８は、固定枠２０９の外周側まで伸びており、固定枠２０９の外周に沿って形成されている。壁３０８には、スリット３０９が形成されている。スリット３０９は、前方が開放されている。すなわち、スリット３０９の被写体側の一端は、開放されている。スリット３０９の長手方向は光軸ＡＸと平行であるが、傾いていてもよい。例えば、スリット３０９の長手方向と光軸ＡＸとの角度は４５度以内であるのが好ましい。すなわち、スリット３０９は、光軸AXに対して４５度以下の傾きを有することが好ましい。
【００５３】
フレキシブルプリントケーブル３０２は、壁３０８の内面に沿って案内され、スリット３０９から固定部材２１２の外側に引き出されている。そして、フレキシブルプリントケーブル３０２は、レンズ鏡筒１００の外周部において、他の部材に接続されている。具体的には、フレキシブルプリントケーブル３０２は、固定部材２１２の背面からレンズ鏡筒１００の外周面上に引き出されたフレキシブルプリント基板３０３に接続されている。フレキシブルプリントケーブル３０２とフレキシブルプリント基板３０３とは、コネクタ３０４によって接続されている。
【００５４】
図１０に示す状態からフレキシブルプリントケーブル３０２を折り曲げ、固定枠２０９に対して固定部材２１２を組み込むとき、固定部材２１２を固定枠２０９に組み込む方向は概ね光軸ＡＸ方向である。スリット３０９は組み込み方向に開放しているため、フレキシブルプリントケーブル３０２の一部を壁３０８の内面に挿入し、フレキシブルプリントケーブル３０２をスリット３０９に通して、フレキシブルプリントケーブル３０２を固定部材２１２の外側に引き出す作業が容易である。
【００５５】
図１４に示すように、ボス３０１は、回転枠２０８の外側、かつ、壁３０８の内側に配置されている。ボス３０１は、固定部材２１２に固定されているため、固定部材２１２に対して移動しない。そして、フレキシブルプリントケーブル３０２は、ボス３０１と壁３０８との間に挟まれて、ボス３０１と壁３０８の間で変形している。フレキシブルプリントケーブル３０２は弾性部材であるため、元の形状に戻ろうとする弾性力によって、壁３０８に押し付けられている。そして、フレキシブルプリントケーブル３０２は、ボス３０１と壁３０８の間で、保持されている。また、フレキシブルプリントケーブル３０２は、スリット３０９の部分で変形している。そして、元の形状に戻ろうとする弾性力によって、フレキシブルプリントケーブル３０２はスリット３０９の内側に押し付けられている。そして、フレキシブルプリントケーブル３０２は、スリット３０９に保持されている。
【００５６】
ボス３０１は、フレキシブルプリントケーブル３０２と回転枠２０８との間に配置される。すなわち、ボス３０１は、回転枠２０８の外側に配置されている。そのため、フレキシブルプリントケーブル３０２が回転枠２０８と接触し、回転枠２０８の回転の際にフレキシブルプリントケーブル３０２が磨耗する等の不具合を低減することが可能である。
また、図１４に示すように、壁３０８の内面から外面に向かってスリット３０９が開口する方向は、光軸ＡＸを中心とする径方向に対して傾斜している。すなわち、スリット３０９は、光軸ＡＸ方向から見た場合に、径方向に対して斜めに延びるように形成されている。そのため、スリット３０９に挿入されたフレキシブルプリントケーブル３０２を固定部材２１２の外周面に沿わせることができる。従って、フレキシブルプリントケーブル３０２を固定部材２１２の外側に引き出した後に、レンズ鏡筒１００の取り扱い性を向上させることができる。
【００５７】
また、スリット３０９の外面３０９Ｓは、固定部材２１２の取付部１１５上に設けられている。ここで、径方向に対して斜めに延びるスリット３０９を形成するためには、固定部材２１２の外周面の一部を突出させる必要がある。そこで、固定部材２１２の外周面に突出する取付部１１５を利用することによって、スリット３０９を形成するための突出部を別途設ける必要をなくすことができる。
【００５８】
＜他の実施形態＞
（Ａ）実施形態では、電気部品の一例として、シャッターユニット２０７およびアクチュエータ２２５にフレキシブルプリントケーブル３０２が接続されている。しかし、電気部品は、これらに限られない。例えば、電気部品として、絞り駆動ユニットや、フォーカシングに用いられるアクチュエータや、または、ズーミングに用いられるアクチュエータに、フレキシブルプリントケーブル３０２が接続されていてもよい。また、フレキシブルプリントケーブル３０２は、シャッターユニット２０７およびアクチュエータ２２５に接続されているが、シャッターユニット２０７およびアクチュエータ２２５の一方に接続されていてもよい。
【００５９】
（Ｂ）実施形態では、シャッターユニット２０７およびアクチュエータ２２５は、光軸ＡＸ方向に移動可能であるが、移動しない構成でもよい。
（Ｃ）実施形態では、フレキシブルプリントケーブル３０２は、固定枠２０９の後ろ側の端を通って固定枠２０９の外周側に引き出されているが、これに限られない。たとえば、固定枠２０９の側面から引き出される構成でもよい。
【００６０】
（Ｄ）実施形態では、フレキシブルプリントケーブル３０２とフレキシブルプリント基板３０３とは、コネクタ３０４によって接続されているが、どのような接続方法でよい。たとえば、フレキシブルプリントケーブル３０２とフレキシブルプリント基板３０３とは、半田等の低融点の金属で接続されていてもよい。
（Ｅ）実施形態では、フレキシブルプリントケーブル３０２はフレキシブルプリント基板３０３に接続されているが、どのような部材に接続されていてもよい。
【００６１】
（Ｆ）実施形態では、フレキシブルプリントケーブル３０２はレンズ鏡筒１００の外周部において、他の部材に接続されているが、これに限られない。たとえば、フレキシブルプリントケーブル３０２は、レンズ鏡筒１００の外周部からさらにレンズ鏡筒１００の後ろまで引き出され、他の部材と接続されてもよい。
（Ｇ）ボス３０１はビスを挿入するための穴３０７を有していたが、なくてもよい。
【００６２】
（Ｈ）フレキシブルプリントケーブル３０２は、フレキシブルプリント基板の一例である。フレキシブルプリント基板は、配線のみがプリントされたものでもよく、電気部品が実装されたものでもよい。
（Ｉ）固定枠２０９は、１群枠２０１を介して第１レンズ群Ｇ１を支持している。また、固定枠２０９は、１群直進枠２０２を介して、第２レンズ群Ｇ２を支持している。また、固定枠２０９は、シャッターユニット２０７およびブレ補正枠２０６を介して、第３レンズ群Ｇ３を支持している。固定枠２０９は、レンズを支持する部材の一例である。
【００６３】
（Ｊ）スリット３０９の被写体側の一端（すなわち、前端）が開放されることとしたが、これに限られるものではない。スリット３０９の被写体と反対側の一端（すなわち、後端）が開放されていてもよい。この場合、筒状に形成された固定部材２１２の後方から、固定枠２０９を固定部材２１２に組み付ければよい。
（Ｋ）固定枠２０９は、光軸ＡＸ方向に沿って固定部材２１２に組み込まれることとしたが、これに限られるものではない。固定枠２０９が固定部材２１２に組み込まれる方向は、固定枠２０９及び固定部材２１２の形状によって適宜設定できるものであり、光軸ＡＸと交差する方向であってもよい。
【００６４】
なお、以上の実施形態は、本質的に好ましい例示であって、本発明、その適用物、あるいはその用途の範囲を制限することを意図するものではない。また、前記実施形態は、適宜、修正し、省略し、又は組み合わせて用いることができる。
＜実施形態の特徴＞
上記実施形態において特徴的な部分を以下に列記する。なお、上記実施形態に含まれる発明は、以下に限定されるものではない。各構成の後ろに括弧で記載したものは、特徴の理解を助けるために記載した、各構成の具体例である。各構成はこれらの具体例に限定されるものではない。また、各特徴について記載された効果を得るためは、記載された特徴以外の構成は変形または削除されてもよい。
【００６５】
［Ｆ１］
レンズ鏡筒（１００）は、被写体の光学像を形成する光学系（Ｏ）と、光学系に含まれる少なくとも１枚のレンズを支持する筒（固定枠２０９）と、筒の外周に配置され、筒の外周面に沿って形成される壁（壁３０８）を有した固定部材（固定部材２１２）と、筒の内周側に配置された電気部品（シャッターユニット２０７、アクチュエータ２２５）と、電気部品と電気的に接続されたフレキシブルプリントケーブル（フレキシブルプリントケーブル３０２）と、を備える。筒は、所定方向（光軸方向ＡＸ）に沿って移動されることにより固定部材に組み付けられている。壁には、所定方向に対して４５度以下の傾きを有し、所定方向の一端において開放されたスリット（スリット３０９）が形成される。フレキシブルプリントケーブルは、壁の内面に案内されてスリットから固定部材の外側に引き出されている。
【００６６】
これにより、レンズ鏡筒の設計自由度を高くすることができる。
［Ｆ２］
レンズ鏡筒（１００）は、筒（固定枠２０９）の外側に配置され、固定部材（固定部材２１２）とは相対的に移動しない突起（３０１）を備える。フレキシブルプリントケーブルは、突起と壁の内面との間に挟まれている。
【００６７】
これにより、突起の近くでフレキシブルプリントケーブル３０２が動くのを抑制することができる。たとえば、実施形態では、フレキシブルプリントケーブル３０２をフレキシブルプリント基板３０３に接続する際、ボス３０１の近くでフレキシブルプリントケーブル３０２の動きが規制されているので、作業性が高い。
［Ｆ３］
レンズ鏡筒（１００）において、突起（ボス３０１）には、筒（固定枠２０９）と固定部材（固定部材２１２）を締結するための締結具（ビス）が取り付けられている。
【００６８】
これにより、Ｆ２の作用と、筒（固定枠２０９）と固定部材（固定部材２１２）を締結する作用とを、同じ部材で実現でき、部品点数の削減や形状の簡素化が可能である。
［Ｆ４］
接続部材支持構造は、固定部材（固定部材２１２）と、固定部材に対して回転可能な回転筒（回転枠２０８）と、回転筒の内部に配置された第１の電気部品（シャッターユニット２０７、アクチュエータ２２５）と、回転筒の外周面よりも外に配置された第２の電気部品と第１の回路基板とを電気的に接続する接続部材（フレキシブルプリントケーブル３０２）と、を備える。固定枠は、外周面よりも外側に、接続部材を保持するスリット（３０９）を有する。
【００６９】
これにより、回転筒が回転するときに接続部材が回転筒との接触で磨耗する可能性を低減することができる。
［Ｆ５］
接続部材支持構造は、固定部材（固定枠２０９）と、固定部材に対して回転可能な回転筒（回転枠２０８）と、回転筒の内部に配置された第１の電気部品（シャッターユニット２０７、アクチュエータ２２５）と、回転筒の外周面よりも外に配置された第２の電気部品と第１の回路基板とを電気的に接続する接続部材（フレキシブルプリントケーブル３０２）と、を備える。固定部材（固定枠２０９）は、外周面と接続部材の間に配置された突起（ボス３０１）を有する。
【００７０】
これにより、回転筒が回転するときに接続部材が回転筒との接触で磨耗する可能性を低減することができる。
【産業上の利用可能性】
【００７１】
ここに開示された技術は、たとえば、デジタルカメラ、カムコーダ、フィルムカメラ、携帯電話、プロジェクター等の投射光学系を有する機器等に用いられる、レンズ鏡筒として利用可能である。
【符号の説明】
【００７２】
１  デジタルカメラ
１００  レンズ鏡筒
Ｏ  光学系
ＡＸ  光軸
２０１  １群枠
２０２  １群直進枠
２０３  カム枠
２０４  ２-３群直進枠
２０５  ２群枠
２０６  ブレ補正枠
２０７  シャッターユニット
２０８  回転枠
２０９  固定枠
２１０  ４群枠
２１１  ５群枠
２１２  固定部材
１１０  ＣＣＤ
Ｇ１  第１レンズ群
Ｇ２  第２レンズ群
Ｇ３  第３レンズ群
２２５  アクチュエータ
３０１  ボス
３０２  フレキシブルプリントケーブル
３０３  フレキシブルプリント基板
３０４  コネクタ
３０５  支持部
３０７  穴
３０８  壁
３０９  スリット
【図１】
2012168515.tif 000003
【図２】
2012168515.tif 000004
【図３】
2012168515.tif 000005
【図４】
2012168515.tif 000006
【図５】
2012168515.tif 000007
【図６】
2012168515.tif 000008
【図７】
2012168515.tif 000009
【図８】
2012168515.tif 000010
【図９】
2012168515.tif 000011
【図１２】
2012168515.tif 000012
【図１３】
2012168515.tif 000013
【図１４】
2012168515.tif 000014
【図１０】
2012168515.tif 000015
【図１１】
2012168515.tif 000016